(57)【要約】【課題】  水分離膜を用いた脱水装置に採用され、水分離膜の性能を好適に回復又は維持するようにした脱水装置の運転方法を提供する。【解決手段】  水分離膜より成る水分離膜部２と、該水分離膜部２の外側面と、装置本体内壁とで規定されるシェル部３とを有する水分離膜ユニットを備える脱水装置１の運転方法であって、上記水分離膜２から透過する気体中の漏洩成分の濃度が設定値を超えた際、上記脱水装置１の稼働を停止し、原料液体７に酸を加え、稼働させ、水分離膜を再生することとし、又は原料液体に酸を加えて、稼働させ、水分離膜の性能を維持するようにした。【選択図】  図１
2011083694.tif 000002
【特許請求の範囲】
【請求項１】
水分離膜より成る水分離膜部と、該水分離膜部の外側面と、装置本体内壁とで規定されるシェル部とを有する水分離膜ユニットを備える脱水装置の運転方法であって、上記水分離膜から透過する気体中の漏洩成分の濃度が設定値を超えた際、上記脱水装置の稼働を停止し、原料液体に酸を加え、稼働させ、水分離膜を再生することを特徴とする脱水装置の運転方法。
【請求項２】
水分離膜より成る水分離膜部と、該水分離膜部の外側面と、装置本体内壁とで規定されるシェル部とを有する水分離膜ユニットを備える脱水装置の運転方法であって、原料液体に酸を加えて、稼働させ、水分離膜の性能を維持するようにしたことを特徴とする脱水装置の運転方法。
【発明の詳細な説明】
【技術分野】
【０００１】
本発明は、脱水装置の運転方法に関する。本発明は、特に、水との共沸組成を持つエタノールやプロパノールと水との混合物を効率的に脱水することができる脱水装置について、その運転方法に関する。
【背景技術】
【０００２】
石油燃料を代替する燃料源として、エタノールが注目されており、その市場規模は、２０１０年に５５００万キロリットルと予測されている。しかし、エタノールを燃料として採用するためには、トウモロコシ等のバイオ原料から得た粗製物を蒸留精製し、少なくとも９９．７ｗｔ％以上に脱水しなければならない。
【０００３】
このために、膜分離器を用いたパーベーパレーション法膜分離により、完全に相互溶解する液体混合物から水を分離する方法が知られている（特許文献１：特開平７−１２４４４４号公報）。パーベーパレーション法膜分離は、相互溶解する液体混合物の分離において、分離性のよさ、省エネルギーといった利点を有する。
【０００４】
ここで、このような膜分離器として、複数本の水分離膜を組み込んだ水分離膜ユニットを用いた脱水装置を本発明者らは開発している。
かかる脱水装置では、使用期間が経過すると、透過されて来る気体中のエタノールの含有量が増大するという傾向があった。すなわち、本来、親水性の特性を持つ水分離膜が親油化し、十分な水分離性能を発揮することができなくなるという傾向があった。
これに対する対策として、新たな水分離膜ユニットを、脱水装置が使用されている場所に工場より搬入し、古い水分離膜ユニットと交換する必要があった。古い水分離膜ユニットは、内部の水分離膜を新しい水分離膜と交換し、次の交換に備えるといったことが行われている。
【０００５】
しかし、このように水分離膜ユニットを交換することは、脱水工程に要するコストの増大を招き、ひいては、目的とするエタノール等の製造コストそのものの増大に繋がりかねないという課題があった。
【先行技術文献】
【特許文献】
【０００６】
【特許文献１】特開平７−１２４４４４号公報
【発明の概要】
【発明が解決しようとする課題】
【０００７】
本発明の目的は、水分離膜を用いた脱水装置に採用され、水分離膜の性能を好適に回復又は維持するようにした脱水装置の運転方法を提供することにある。
【課題を解決するための手段】
【０００８】
上記の課題を解決するため、本発明は、水分離膜より成る水分離膜部と、該水分離膜部の外側面と、装置本体内壁とで規定されるシェル部とを有する水分離膜ユニットを備える脱水装置の運転方法であって、上記水分離膜から透過する気体中の漏洩成分の濃度が設定値を超えた際、上記脱水装置の稼働を停止し、原料液体に酸を加え、稼働させ、水分離膜を再生することを特徴とする。
【０００９】
上記の課題を解決するため、本発明は、別の形態として、水分離膜より成る水分離膜部と、該水分離膜部の外側面と、装置本体内壁とで規定されるシェル部とを有する水分離膜ユニットを備える脱水装置の運転方法であって、原料液体に酸を加えて、稼働させ、水分離膜の性能を維持するようにしたことを特徴とする。
【発明の効果】
【００１０】
本発明によれば、水分離膜を用いた脱水装置に採用され、水分離膜の性能を好適に回復又は維持するようにした脱水装置の運転方法が提供される。
【図面の簡単な説明】
【００１１】
【図１】（Ａ）は、本発明に係る脱水装置の運転方法の対象となる脱水装置を概念的に説明する模式的な縦断面図である。  （Ｂ）は、図１のＡ−Ａ線による断面図である。
【図２】（Ａ）は、本発明に採用することのできる水分離膜の一実施の形態を上方から見た平面図である。  （Ｂ）は、（Ａ）のＣ−Ｃ線による縦断面図である。
【図３】（Ａ）は、本発明に係る脱水装置の運転方法の対象となる脱水装置に採用される水分離膜モジュールの一形態を説明する模式的な縦断面図である。  （Ｂ）は、水分離膜モジュール内に水分離膜部１１０が複数配設された状態を示す上方から見た概念図である。
【図４】本発明が適用される脱水装置の一実施の形態を示す模式図である。
【図５】本発明に係る脱水装置の運転方法のうち、第１の実施の形態を実施した結果を示すグラフである。
【図６】本発明に係る脱水装置の運転方法のうち、第２の実施の形態を実施した結果を示すグラフである。
【発明を実施するための形態】
【００１２】
以下に、本発明に係る脱水装置の運転方法について、その実施の形態を参照しながらさらに詳細に説明する。
【００１３】
脱水装置の基本形態
図１に、本発明に係る運転方法の適用される脱水装置の一実施の形態を示す。
図１に示す脱水装置は、主たる構成要素として、脱水装置１本体内に、水分離膜部２と、シェル部３と、加熱手段４と、真空ダクト６とを備え、脱水装置本体には減圧装置５が接続される。
【００１４】
図１の（Ａ）、（Ｂ）に示すように、水分離膜部２は、水分離膜２ｄから構成されており、液体の入口２ａが下端に、出口２ｂが上端にあって、その内部には液体の流路２ｃとして、液体を通すための上下に延びる一以上の中空部が形成されている。シェル部３は、水分離膜部２の側面の周囲に位置する。シェル部３内の上方であって、液体の出口２ｂ付近には、加熱手段４が設けられている。
一方、シェル部３の下方であって、液体の入口２ａ付近には、真空ダクト６が設けられている。真空ダクト６は減圧装置５に接続されている。
【００１５】
水分離膜部２は、液体を無水物と水とに分離する。かかる水分離膜部２としては、様々な形態のものが知られており、市販されている。本実施形態による水分離膜部としては、一例として、モノリス型のものと、チューブラ型の水分離膜部を用いることができる。
【００１６】
水分離膜部の実施の形態
図２にモノリス型の水分離膜部１１０の例を挙げて説明する。
モノリス型の水分離膜部１１０は、円柱状の水分離膜１１０ｄに液体を通すための上下に延びる一以上の中空部である液体の流路１１０ｃを複数設けたものである。なお、図１の水分離膜部２も同様に流路を複数設けたものとして構成することができる。
通常、かかる形態の水分離膜部においては、水分離膜内部の液体の流路１１０ｃを、膜の一次側、又は供給側といい、水分離膜１１０ｄの外側を、膜の二次側、又は透過側とよぶ。
【００１７】
このような水分離膜部１１０を用いたパーベーパレーション法膜分離においては、水分離膜部１１０を、好ましくは流路の方向が鉛直方向と平行になるように設置する。そして、水分離膜部１１０の透過側を減圧しながら、鉛直方向下側の入口１１０ａから液体を供給し、重力と逆の向きに流して、鉛直方向上側の出口１１０ｂから液体を排出する。かかる操作により、液体中の水が、水蒸気となって、円柱状の水分離膜１１０ｄの側面から、透過側に引き抜かれる。その結果、水分離膜部出口１１０ｂから回収される液体は、脱水されたものとなっている。
【００１８】
図示したモノリス型の水分離膜部１１０は、概略的なものであるが、一例として、直径が３０ｍｍの円柱状の水分離膜に対して、直径が３ｍｍの穴を３０個設けた水分離膜部を用いることができる。別の例として、直径が１５０〜２００ｍｍの水分離膜部に対して、直径が２ｍｍの穴を２００個設けた水分離膜部を用いることができる。水分離膜部の長さは、所望の膜性能に応じて当業者が適宜決定することができるが、一例として、１５０ｍｍから１ｍのものを用いることができる。
【００１９】
水分離膜部１１０を構成する水分離膜の材質としては、無機材でナノオーダー又はそれより小さい孔径が精密に制御された微細孔多孔膜を用いることができる。微細孔多孔膜は、小分子ガスを通し、大分子ガスを排除する分子ふるい効果を発現し、その透過係数は温度上昇とともに増加する活性化拡散の挙動を示す。微細孔多孔膜の例としては、炭素膜、シリカ膜、ゼオライト膜が挙げられる。本実施形態においては、水分離膜としては、細孔径１０オングストローム以下のシリカ系又はゼオライト系の無機水分離膜が好適である。
【００２０】
また、特許第２８０８４７９号記載の無機水分離膜も適用可能である。該特許第２８０８４７９号の無機水分離膜は、無機多孔体の細孔内に、エトキシ基又はメトキシ基を含むアルコキシシランの加水分解を経て得られたシリカゲルを担持することによって得られる耐酸性複合分離膜である。
【００２１】
水分離膜部１１０の形態、サイズ、及び材質は、使用目的に応じて当業者が適宜選択することができる。
【００２２】
水分離膜ユニットの実施の形態
図３に、水分離膜部１１０を複数配設し、水分離膜ユニット１１２として構成した形態を示す。
図示のように、この形態では、複数の水分離膜部を上下の管板で支持し、空間１１６、１１８及び１２０は、水密的に隔絶された空間を形成している。
水分離膜部１１０の機能は、図２について説明したと同様である。
すなわち、空間１１６から導入された液体が、水分離膜部１１０の流路を通って、空間１２０に流れ、精製された液体として排出される。空間１１８には、引き抜かれた水蒸気が透過して行く。
【００２３】
脱水装置の基本形態に関する追加説明
上記した図２、図３についての説明と一部重複するが、ここで図１に戻って解説する。図２の水分離膜部１１０は、液体の流路を複数備え、図３の水分離膜部１１０は、水分離膜ユニット１１２内に複数配設されている。これに対し、図１では、単一の水分離膜部であって、流路も一のみである。しかし、図２、図３のような形態の水分離膜部、水分離膜ユニットを備えたものとすることができる。
【００２４】
図１で、シェル部３は、水分離膜部２の周囲にあって、水分離膜の透過側にあたり、水分離膜部２の側面から放出される水蒸気８の流路となる部分である。本実施形態において、シェル部３は、水分離膜部２の側面と、脱水装置１本体の内壁とにより規定される空間部分である。シェル部３は、水分離膜部２に供給する前の液体、又は水分離膜部２から回収される液体７が流れ込むことがないように構成されている。
【００２５】
シェル部３内部の上方であって、水分離膜部２の液体出口２ｂ付近には、加熱手段４が設けられている。出口２ｂ付近とは、水分離膜部２の出口２ｂを通過する液体を所望の温度に加熱することができる程度に近い場所をいう。加熱手段は、好ましくは出口２ｂ付近の周囲に設置するが、一部に設置してもよい。加熱手段４は、水分離膜部２の出口付近の液体及び、水分離膜部２からシェル部３に放出された水蒸気８を加熱する。加熱手段４としては、電熱ヒータやスチームなどの一般的なものを用いることができる。水分離膜部２を流れる液体７を、共沸点に達しない共沸点付近にまで、又は共沸点のない酢酸などと水の混合物の場合は１００〜１５０℃まで加熱することができるものであればよい。
【００２６】
シェル部３の下方であって、水分離膜部２の入口２ａ付近には、真空ダクト６が設けられる。真空ダクト６は、減圧装置５に接続するための接続口となる。真空ダクト６から、シェル部３に放出された水蒸気８を回収する。真空ダクト６は、図示するように横向きに設けられてもよく、鉛直方向下向きに設けられてもよく、その向きが限定されるものではないが、シェル部３の最下面であって、加熱手段４から遠い箇所に設けられることが好ましい。シェル部３の一番下まで熱を対流させるためである。
【００２７】
また、真空ダクト６は、複数ではなく、一つだけ設けることが好ましい。加熱手段４から真空ダクト６への一方向への、水蒸気８及び熱の対流を形成するためである。しかし、実質的に一方向への水蒸気８及び熱の対流を形成することができる位置、向きであれば、複数の真空ダクト６を設けることもできる。
【００２８】
減圧装置５は、シェル部３を減圧して、水分離膜部２から放出された水蒸気を吸引する手段である。圧力を、１０〜１００ｔｏｒｒ（１３３３．２２〜１３３３２．２Ｐａ）程度にまで減圧するものであればよく、通常の減圧ポンプ等を用いることができる。
【００２９】
次に、本実施の形態に係る脱水装置１により液体を脱水する方法の一形態を説明する。
本実施の形態に係る脱水装置１の対象とする液体は、一般的には、水と相互溶解する液体と、水との混合物である。具体的には、エタノールと水との混合物、プロパノールと水との混合物、又は酢酸などの酸と水との混合物が挙げられる。
本実施形態にかかる方法によれば、エタノールの場合、例えば燃料用途に好適な９９．７％の無水物にまで脱水し、又は半導体基板洗浄用途の９９．９９％以上にまで脱水する。液体は、原料となる混合物を、蒸留塔やアルコール選択膜で処理して、アルコール又は酸の濃度を、８０〜９５ｗｔ％としたものである。なお、処理対象となる液体は、加圧した液体であってもよい。加圧した液体を用いることで、本実施の形態に係る脱水装置１に供給する液体をガス化させることなく、液体の温度を上げることができる。この場合、例えば、１．５ａｔｍから１０ａｔｍ、好ましくは２ａｔｍから３ａｔｍに加圧した液体を用いることができる。
以下、燃料として有用なエタノールと水との混合物を液体の一例として脱水方法を説明する。本実施の形態に係る脱水装置に供給する液体におけるエタノール濃度は、９５ｗｔ％と例示しているが、特に限定される物ではない。
【００３０】
図１に示すように、９５ｗｔ％のエタノールと、５ｗｔ％の水との混合物である液体７を熱交換器で昇温した後、水分離膜部２の液体入口２ａから供給する。液体７の水分離膜部２への供給流速は、０．５〜１ｍ／ｓｅｃとすることが好ましい。しかし、供給流速は、透過フラックスとの関係で、当業者が適宜決定することができる。また、液体７の供給時の温度は、エタノールと水との共沸点に近いが共沸点（約８０℃）未満である７０℃から８０℃未満とすることが好ましい。液体７の温度が高いほど、透過フラックスが大きくなり、膜性能が上がるいっぽうで、共沸点より高い温度では、液体７の一部が気化し、蒸発潜熱を奪うためである。
【００３１】
水分離膜部２に液体７を供給するとき、シェル部３を減圧する。このとき、シェル部３の圧力が、１０〜１００ｔｏｒｒ（１３３３．２２〜１３３３２．２Ｐａ）程度となるように減圧することが好ましい。水分離膜の供給側と透過側の差圧により分離を促進するためである。減圧は、シェル部３下方に設けた真空ダクト６より行う。シェル部３の上方では、加熱手段４により水分離膜部２の出口付近を加熱する。液体７が共沸点付近であって共沸点未満になるまで加熱することが好ましい。具体的には、液体が７０℃から８０℃未満となるように加熱することが好ましい。
【００３２】
液体７は、水分離膜部２の下から上へ流路２ｃを流れる。このあいだに、液体７中の水が、分離膜２ｄを介してシェル部３へ水蒸気８として取り出される。水の気化により液体７は、随時気化熱を奪われるが、出口２ｂ付近が加熱されているため温度が低下することなく保たれる。したがって、出口２ｂから回収される液体７は、温度は供給時と同程度で、含有水濃度が低下したものとなっている。
【００３３】
シェル部３へ放出された水蒸気８は、シェル部３の上方から下方へと対流する。
これは、シェル部３上方を加熱していると同時に、シェル部３下方から減圧吸引しているためである。水蒸気８は、図１の（Ｂ）に示すように、ダクト６に向かって対流しながら、分離膜２ｄを介して流路２ｃ内の液体７を昇温する。そして、水蒸気８はシェル部３下方の真空ダクト６から回収される。回収された水蒸気８は、その後段で、熱交換器等の冷却器で凝縮される。図１には、二つの加熱手段４が設けられている形態を示したが、ダクト６からいちばん遠い位置、すなわち図１（Ａ）のシェル部３の左上に一つの加熱手段が設置されれば、図１（Ａ）のシェル部３の右下のダクト６まで、熱が対流することとなる。
【００３４】
本実施形態では、説明を簡単にするため、一つの水分離膜部２を備える脱水装置１の形態を図示したが、本発明にかかる脱水装置は、図３について上記したように脱水装置本体（水分離膜ユニット）内に複数の水分離膜部を並列に接続して備えるものであってもよい。この場合、複数の水分離膜部は、脱水装置本体内に平行に設置する。すなわち、複数の水分離膜部の液体入口２ａが装置本体内で略同じ高さに位置し、同様に、複数の水分離膜部の液体出口２ｂが略同じ高さに位置することになる。そして、加熱手段は、各水分離膜部の出口付近を、いずれも同じ温度にまで加熱昇温することができるような位置、態様で設けることができる。そして、かかる形態においても、シェル部３は、脱水装置本体の内壁と、複数の水分離膜部２の外側面とで規定される一つの連続した空間となっていて、その内部を熱及び水蒸気が上部から下部に向けて対流することができる。脱水装置本体内に複数の水分離膜部を並列に接続して設けることにより、一つの脱水装置にて一度に処理する液体の量を増やすことができる。
【００３５】
図１に示す実施の形態にかかる脱水装置を用いた方法によれば、液体を水分離膜部２の出口付近で加熱することにより、膜性能を上げることができる。
膜性能は、透過フラックスで評価することができ、透過フラックスは温度に比例することが知られている。本実施形態において好ましく用いられる水分離膜は、約４０℃から約８０℃まで変化させると、透過フラックスが約３倍まで増加する。液体を、水分離膜部２の入口２ａから出口２ｂに至るまで７０℃から８０℃未満に保持することによって
、水分離膜部２の全ての箇所で、高い透過フラックスを得ることができ、膜性能を高めることができる。具体的には、従来技術と比較して、透過フラックスを約５０％上げることができる。そして、液体中のエタノール濃度が、燃料に適する９９．７ｗｔ％以上となるまで脱水することができる。
【００３６】
以上において、本発明に係る運転方法が適用される対象となる脱水装置の実施の形態について説明した。
次に、本発明に係る脱水装置の運転方法について、その実施の形態を説明する。
【００３７】
脱水装置の運転方法（第１の形態）
本発明に係る脱水装置の運転方法は、第１の形態として、水分離膜から透過する気体中の漏洩成分の濃度が設定値を超えた際、脱水装置の稼働を停止し、原料液体に酸を加え、稼働させ、水分離膜を再生することとしている。
【００３８】
「気体中の漏洩成分の濃度が設定値を超えた」かどうかは、例えば、漏洩成分であるエタノールの透過速度をシェル部で測定することによって判定できる。
エタノールの透過速度は、（原料組成×流量−製品組成×製品流量）として検出することができる。
設定値は、理想的にはゼロであるが、コスト面等を考慮し、適切に設定する。
【００３９】
原料液体は、上記したように、一般的には、水と相互溶解する液体と、水との混合物である。具体的には、エタノールと水との混合物、プロパノールと水との混合物、又は酢酸などの酸と水との混合物が挙げられる。
用いることができる酸としては、塩酸、硫酸、酢酸、燐酸、ホウ酸及び硝酸を挙げることができる。酸の濃度は、１０〜１，０００ｐｐｍとすることが好適である。
【００４０】
脱水装置の運転方法（第２の形態）
本発明に係る脱水装置の運転方法は、第２の形態として、原料液体に酸を加えて、稼働させ、水分離膜の性能を維持することとしている。
【００４１】
原料液体は、上記したように、一般的には、水と相互溶解する液体と、水との混合物である。具体的には、エタノールと水との混合物、プロパノールと水との混合物、又は酢酸などの酸と水との混合物が挙げられる。
用いることができる酸としては、塩酸、硫酸、酢酸、燐酸、ホウ酸及び硝酸を挙げることができる。酸の濃度は、０．１〜１０ｐｐｍの範囲とすることが好適である。
【００４２】
複数の水分離膜ユニットを備えた脱水装置の運転方法
次に、図４について、本発明の適用対象となる脱水装置を、複数の水分離膜ユニットを備えた形態とし、上記第２の形態に係る運転方法として実施するシステムを説明する。
【００４３】
本実施の形態に係る脱水装置２００では、複数の水分離膜ユニット２０２が平行に配置されている。
そして、水分離膜ユニット２０２同士が直列に管２０４によって接続されている。すなわち、一の水分離膜ユニット２０２の出口と別の水分離膜ユニット２０２の入口とが、管２０４によって直列に接続されている直列処理型である。
各水分離膜ユニット２０２の入口側には、加熱器２０６が設けられている。図１の実施の形態では加熱手段を、水分離膜ユニット（脱水装置）内に設けている。本実施の形態でも、このような加熱手段を併設することもできる。  
直列に接続する水分離膜ユニット２０２の数は、例えば、３〜５とすることができる。しかし、各水分離膜ユニット２０２の仕様や性能、処理対象となる液体の所望の純度によって、当業者が接続する数を適宜決定することができる。
【００４４】
さらに、本実施の形態は、原料液体タンク２０８、酸供給タンク２１０、製品タンク２１２を備える。また、供給用ポンプ２１４、２１６、２１８を備える。なお、熱回収用熱交換器２２０、開閉弁２２２が設けられている。  
【００４５】
本実施の形態に係る脱水装置２００では、直列に接続された水分離膜ユニット２０２に原料液体タンク２０８から原料液体が供給される。原料液体として、例えばエタノールと水の混合液体の脱水する際、原料液体は、加熱器２０６等で冷却防止し、又は昇温してから水分離膜ユニット２０２に供給される。これにより、直列に接続された各水分離膜ユニット２０２を流れる液体は、すべて、エタノールの共沸点付近であって、共沸点未満の温度に保持される。
したがって、各水分離膜ユニット２０２において図１にかかる実施の形態と同様の効果が得られる。そして、そのような水分離膜ユニット２０２が直列に複数接続されていることで、全体としてより高い性能が得られ、液体を純度の高いエタノールにまで脱水することができる。
脱水後、液体は、製品タンク２１２に送られ、貯蔵される。
【００４６】
そして、図４の実施の形態では、酸供給タンク２１０から供給ポンプ２１６に対し、常時、酸が供給される。上記したように、用いることができる酸としては、塩酸、硫酸、酢酸、燐酸、ホウ酸及び硝酸を挙げることができる。酸の濃度は、０．１〜１０ｐｐｍの範囲とすることが好適である。
このようにして酸が常時供給されることにより、水分離膜ユニット２０２の脱水性能を維持することができる。
【００４７】
なお、この図４について説明した脱水装置において、第１の形態に係る運転方法を実施することもできる。
この場合、水分離膜ユニット２０２中で水分離膜部を透過する気体中の漏洩成分の濃度が設定値を超えているかどうかを、例えば、漏洩成分であるエタノールの透過速度をシェル部で測定する。
エタノールの透過速度は、（原料組成×流量−製品組成×製品流量）として検出することができる。
設定値は、理想的にはゼロであるが、コスト面等を考慮し、適切に設定する。
【００４８】
水分離膜部を透過する気体中の漏洩成分の濃度が設定値を超えていることを検知した場合には、いったん装置の運転を停止し、酸供給タンク２１０から酸を供給する。供給する酸としては、塩酸、硫酸、酢酸、燐酸、ホウ酸及び硝酸を挙げることができる。酸の濃度は、１０〜１，０００ｐｐｍとすることが好適である。
【実施例１】
【００４９】
図４について説明したと同様の構成を備えた脱水装置について、本発明に係る運転方法のうち、上記した第１の形態を粗エタノール９５ｗｔ％について実施した。
エタノールの透過速度が２５ｇ／ｈを超えた際に、３００ｐｐｍの濃度となるように硫酸を加えた。これによって、膜性能が、点線の位置、すなわち、エタノールの透過速度は、約１２ｇ／ｈ以下に回復した（図５）。なお、水の透過速度は、約７０ｇ／ｈに維持された。
【実施例２】
【００５０】
図４について説明したと同様の構成を備えた脱水装置について、本発明に係る運転方法のうち、上記した第２の形態を粗エタノール９５ｗｔ％について実施した。
酸供給タンク２１０から供給ポンプ２１６に対し、常時、酸を供給した。酸としては、硫酸を用い、濃度を５ｐｐｍに維持した。
このようにして酸が常時供給されることにより、エタノールの透過速度は、概ね１２ｇ／ｈ以下に維持することができた（図６）。なお、水の透過速度は、約７０ｇ／ｈに維持された。
【符号の説明】
【００５１】
１  脱水装置
２  水分離膜部
３  シェル部
５  減圧装置
６  ダクト
７  液体
８  水蒸気
１１０  水分離膜部
１１２  水分離膜ユニット
１１４  管板
２００  脱水装置
２０２  水分離膜ユニット
２０６  加熱器
２０８  原料液体タンク
２１０  酸供給タンク
２１２  製品タンク
【図１】
2011083694.tif 000003
【図２】
2011083694.tif 000004
【図３】
2011083694.tif 000005
【図４】
2011083694.tif 000006
【図５】
2011083694.tif 000007
【図６】
2011083694.tif 000008